(57)【特許請求の範囲】
【請求項１】
表紙体の内面側に綴じ具のベースを配置して当該ベースと表紙体とを固定手段で固定した綴じ具の固定構造において、
前記固定手段は、外側固定部材と、この外側固定部材と相互に作用して前記ベース及び表紙体を挟み込む内側固定部材とにより構成され、
前記綴じ具と表紙体との間に衝撃吸収部が設けられているとともに、前記外側固定部材に備わる起立軸受部は前記ベースの端部に押圧されることを特徴とする綴じ具の固定構造。
【請求項２】
前記表紙体に位置決め穴が設けられる一方、前記ベースに位置決め穴内に位置する位置決め部材が設けられ、この位置決め部材が、ベースと表紙体との間に相対移動させる外力が作用したときの移動代をもって配置されることで前記衝撃吸収部が形成されていることを特徴とする請求項１記載の綴じ具の固定構造。
【発明の詳細な説明】
【０００１】
【発明の属する技術分野】
本発明は、綴じ具の固定構造に係り、更に詳しくは、綴じ具に強制的な外力が付与された際の当該綴じ具の変形を防止することができる綴じ具の固定構造に関する。
【０００２】
【従来の技術】
従来より、表紙体の内面側に綴じ具を備えてなるファイル、バインダー類が市販され、最近では、表紙体と綴じ具との分別廃棄や、綴じ具の再利用を可能とするため、綴じ具が表紙体に対して着脱自在に設けられたタイプのものが流通するに至っている。この着脱自在タイプの綴じ具は、表紙体の外面側に位置して当該表紙体とベースとに形成された穴に貫通する部材を備えた外側部材と、ベース面上に位置して外側部材に着脱自在に組み合わされる内側部材とを備え、これら外側部材と内側部材とによって表紙体とベースとを挟み込んで固定するという構造が採用されている。この際、ベースには爪片が設けられており、この爪片を表紙体に形成された穴内に位置させることでベースの固定位置が決定されるようになっている。
【０００３】
しかしながら、このような構造にあっては、綴じ具の装着位置を正確なものとするため、ベースの爪片が表紙体の穴の形成縁にきっちり嵌るようにして両者間にいわゆる遊びがないものとなっている。従って、ファイルを落としてしまったときに、爪片と穴との間に強い相対移動力が発生し、これによって相互に損傷や変形が生じてしまうという不都合を招来する。特に、綴じ具に多数枚の書類が綴じ込まれている場合には、その書類の重さが加わることにより、損傷、変形の程度も相当に激しくなり、綴じ具を着脱自在な構造としても、その利点を生かし切れなくするという不都合もある。
【０００４】
【発明の目的】
本発明は、このような不都合に着目して案出されたものであり、その目的は、綴じ具と表紙体との間に強制的な外力が生じた場合であっても、その外力による衝撃を吸収し、綴じ具や表紙体の変形を防止することのできる綴じ具の固定構造を提供することにある。
【０００５】
【課題を解決するための手段】
前記目的を達成するため、本発明は、表紙体の内面側に綴じ具のベースを配置して当該ベースと表紙体とを固定手段で固定した綴じ具の固定構造において、
前記固定手段は、外側固定部材と、この外側固定部材と相互に作用して前記ベース及び表紙体を挟み込む内側固定部材とにより構成され、
前記綴じ具と表紙体との間に衝撃吸収部が設けられているとともに、前記外側固定部材に備わる起立軸受部は前記ベースの端部に押圧される、という構成を採っている。このような構成によれば、不用意にファイルを落としてしまったときに、綴じ具及び表紙体の間に生ずる衝撃を緩和することができ、綴じ具及び表紙体の変形を効果的に抑制することができる。
【０００６】
【発明の実施の形態】
本発明において、前記表紙体に位置決め穴が設けられる一方、前記ベースに位置決め穴内に位置する位置決め部材が設けられ、この位置決め部材が、ベースと表紙体との間に相対移動させる外力が作用したときの移動代をもって配置されることで前記衝撃吸収部が形成される、という構成を採用することが好ましい。このような構成では、綴じ具と表紙体との間に強制的な外力、すなわち相対移動力が生じても、位置決め部材が位置決め穴内で移動代分だけ移動でき、瞬間的に加わる過大な衝撃を緩和するように作用することで位置決め部材と位置決め穴の変形、損傷を防止することが可能となる。
【０００７】
なお、本明細書において、特に明示しない限り、「左右」とは、図１に示される背表紙の短寸幅方向を基準として用いられ、「上下」とは背表紙の上下方向すなわち長手方向を基準として用いられる。
【０００８】
【実施例】
以下、本発明に係る綴じ具の実施例を図面を参照しながら説明する。
【０００９】
図１には、本発明に係る綴じ具の固定構造がファイルに適用された実施例の要部概略斜視図が示されている。この図において、ファイル１０は、背表紙１１の左右両側に連なる表表紙１２及び裏表紙１３とを備えた表紙体１４と、背表紙１１の内面側に固定手段１６を介して固定された綴じ具１７とを備えて構成されている。ここで、表紙体１４は、本実施例では、一枚のボール紙等の硬質紙により構成され、綴じ具１７の固定に耐え得る剛性を備えたものが採用されている。
【００１０】
綴じ具１７は、特に限定されるものでないが、本実施例では、固定手段１６を介して背表紙１１の内面側に着脱自在に固定されたベース１８と、このベース１８の左右両側部分に配置された一対の操作部材２０と、下端側がベース１８の左右両側に係脱可能に支持された左右一対の綴じ板２１，２２と、各綴じ板２１，２２の相対面二箇所位置に固定された綴じ桿２４，２４とを備えて構成されている。この綴じ具１７は、前記操作部材２０，２０の何れか一方もしくは双方を内方に押圧操作することで、綴じ板２１，２２とベース１８との引っ掛かりを解除でき、何れか一方もしくは双方の綴じ板２１，２２をベース１８から取り外し可能となっている。
【００１１】
前記ベース１８は、図２に示されるように、背表紙１１の同図中左右二箇所位置に固定される一対の固定面部２５，２５と、これら固定面部２５，２５間に傾斜面部２６を介して連設された中間面部２７とを備えて構成されている。各固定面部２５の領域内において、その左右二箇所位置には、下向きに屈曲する位置決め部材としての切り起こし片２８がそれぞれ設けられている。各切り起こし片２８は、背表紙１１に形成された位置決め穴３０内に挿入されており、これによって、ベース１８の固定位置を決定できるようになっている。また、切り起こし片２８と位置決め穴３０との間には、ベース１８と表紙体１４との間に、図２中矢印Ｘ方向に相対移動を生じさせる外力が作用した際に、当該ベース１８の移動を僅かに許容する衝撃吸収部としての移動代３２が形成されている。すなわち、図２中左右の位置決め穴３０の内方縁間距離Ｌ１に対して、左右の切り起こし片２８の内方縁間距離Ｌ２が僅かに大きくなる相対寸法に設けられている。
【００１２】
前記各固定手段１６は、図３及び図４にも示されるように、背表紙１１の外面側に配置された外側固定部材３４と、この外側固定部材３４と相互に作用してベース１８及び背表紙１１を挟み込む内側固定部材３５とにより構成されている。各固定部材３４，３５は、本実施例では、ポリプロピレンやポリカーボネート等の樹脂材を用いてそれぞれ形成されており、強制的な外力が付与された際の若干の撓み変形が可能となっている。
【００１３】
前記外側固定部材３４は、背表紙１１の外面側に配置された平面視略方形となる板状部材３６と、この板状部材３６の内面側に連なって前記位置決め穴３０及びベース１８に形成された穴１８Ａを貫通するように位置する左右一対の起立部３８，３８と、これら起立部３８に隣接した位置で前記板状部材３６の内面側に連なるとともに、背表紙１１に形成された角穴１１Ａを貫通して延びる左右一対の起立軸受部３９とにより構成されている。なお、起立部３８と起立軸受部３９の各先端側には、突出方向が対称向きとなる爪部３８Ａ及び３９Ａがそれぞれ形成されている。
【００１４】
前記起立部３８及び起立軸受部３９の各基部における板状部材３６の領域内には、成形の便宜上設けられた抜き穴４１，４２が形成されており、一方の抜き穴４２に沿う板状部材３６の内面側には、背表紙１１の角穴１１Ａの内縁に接して板状部材３６の位置をずらすことなく決定する突片４３が形成されている。
【００１５】
前記内側固定部材３５は、図２ないし図４に示されるように、前記起立軸受部３９に係り合った状態で回転可能に設けられている。この内側固定部材３５は、平面視略方形の平面形状を備えた操作片部４５と、この操作片部４５の図３中右端近傍位置から垂下されて下端側に爪部４６を備えた二つのフック片部４７と、同図中左端側における左右二箇所位置を貫いて前記起立軸受部３９の上部を受容可能とする穴４８と、これらの穴４８によって形成される二つの軸部５０と、前記操作片部４５の左右両端から垂下された側壁部５１とを備えて構成されている。ここで、側壁部５１において、前記フック片部４７に隣設した部分は切欠部５２とされ、この切欠部５２によって、フック片部４７の爪部４６が起立部３８の爪部３８Ａに係合した位置から脱出するときの角度変位が許容される。また、操作片部４５の下面側には補強片部５４が形成されている。
【００１６】
次に、綴じ具１７を背表紙１１に固定する方法について説明する。
【００１７】
まず、図３及び図４に示されるように、外側固定部材３４の起立部３８及び起立軸受部３９を背表紙１１の位置決め穴３０及び角穴１１Ａ内にそれぞれ挿入した後、起立部３８をベース１８の穴１８Ａに挿入し、切り起こし片２８を位置決め穴３０に差し込んでベース１８を背表紙の内面上に配置する。この状態で、前記内側固定部材３５の軸部５０を起立軸受部３９の爪部３９Ａに引っ掛けて、フック片部４７側を自由端側として図２中二点鎖線で示される位置から実線で示される略水平位置に回転変位させる。すると、フック片部４７の爪部４６と起立部３８の爪部３８Ａが相互に強制的に係り合い、これによって、各固定部材３４，３５によりベース１８と背表紙１１とを挟み込んで相互に固定することができる。この際、ベース１８の図２中左右両端部は、起立軸受部３９に丁度突き当たる寸法設定とされているため、背表紙１１に対するベース１８の同図中左右位置が正確に決定されることとなる。
【００１８】
また、綴じ具１７が背表紙１１に装着された状態において、綴じ具１７に図２中矢印Ｘ方向に強制的な外力が作用した場合、切り起こし片２８と位置決め穴３０との間に移動代３２が形成されているため、ベース１８が背表紙１１に対して前記Ｘ方向に若干相対移動することとなり、これにより、切り起こし片２８と位置決め穴３０との間の衝撃を吸収可能となっている。この際、図２中左右何れか一方の起立軸受部３９はベース１８の端部に押圧されて同図中左右方向に倒れ込むように弾性変形でき、従って、前記相対移動は妨げられない。
【００１９】
従って、このような実施例によれば、切り起こし片２８及び位置決め穴３０の間に移動代３２を設けたから、ファイル１０を落とした場合でも、切り起こし片２８及び起立軸受部３９に生じる衝撃を相互に軽減して切り起こし片２８の変形を確実に防止することができる。
【００２１】
なお、前記固定手段１６の起立軸受部３９は、前記実施例に示されるような構成に限られるものでなく、例えば、図５に示されるような構成に代替することができる。この構成は、前記起立軸受部３９に上下方向に延びるスリット溝５８を設けることによって構成されたものであり、ベース１８の端部によって起立軸受部３９が同図中左方向に押圧されたときに、スリット溝５８の左右幅が狭まるようにして、衝撃を和らげることを可能としたものである。
【００２２】
更に、ベース１８の固定領域は背表紙１１に限らず、綴じ具１７の形態によっては表表紙１２或いは裏表紙１３であってもよい。
【００２３】
【発明の効果】
以上説明したように、本発明によれば、衝撃吸収部が表紙体とベースとの間に設けられているから、不用意にファイルを落下させてしまっても、綴じ具及び表紙体に付与される衝撃を緩和して、これらの変形を効果的に抑制でき、綴じ具を有効に保護することが可能となる。
【００２４】
また、ベースの位置決め部材が、表紙体とベースとの相対移動させる外力が作用したときの移動代をもって配置されることで衝撃吸収部が形成されているから、綴じ具と表紙体との間に相対移動力が生じた場合、位置決め穴内で位置決め部材が移動代分だけ移動することにより、これらの間に生じる衝撃を和らげることができ、従来のような位置決め部材及び位置決め穴の変形及び損傷原因を回避可能となる。
【図面の簡単な説明】
【図１】本実施例に係るファイルを開いた内側の要部概略斜視図。
【図２】図１のＡ−Ａ線に沿う断面図。
【図３】図２の分解断面図。
【図４】前記ファイルの要部分解概略斜視図。
【図５】変形例に係る起立軸受部の図２と同様の断面図。
【符号の説明】
１４  表紙体
１６  固定手段
１７  綴じ具
１８  ベース
２８  切り起こし片（位置決め部材）
３０  位置決め穴
３２  移動代（衝撃吸収部）
【図１】
0003812315.tif 000002
【図２】
0003812315.tif 000003
【図３】
0003812315.tif 000004
【図４】
0003812315.tif 000005
【図５】
0003812315.tif 000006